(57)【特許請求の範囲】
【請求項１】
外部の画面に投射することによって映像を表示する液晶表示装置であって、
複数の水平走査ラインのうちの奇数番目の水平走査ラインと偶数番目の水平走査ラインとが０．５画素ずれた配列からなる液晶パネルを有し、前記液晶パネルに映像を表示する液晶表示手段と、
前記液晶パネルより前記画面に投射される映像が台形となる歪みを有する場合に、外部からの操作に基づいて補正量を決定する補正量決定手段と、
前記水平走査ラインの各々における前記液晶パネル上の映像有効表示領域および映像非表示領域を示すためのブランキングパルスを作成するブランキング作成手段と、
前記ブランキング作成手段によって作成された前記ブランキングパルスを映像信号に付加して前記液晶表示手段に供給する映像信号作成手段と、
前記補正量決定手段で決定された補正量に基づいて前記映像信号作成手段で前記ブランキングパルスが付加された映像信号を圧縮し、かつ、前記各前記水平走査ラインに対して、前記液晶表示パネルの左端、右端の各々から前記補正量決定手段によって決定された補正量に対応する画素分だけ前記映像有効表示領域が狭くなるように、前記液晶パネルに表示するための駆動信号を作成し、前記液晶表示手段に供給する圧縮表示手段とを備えた液晶表示装置において、
前記ブランキング作成手段は、
前記補正量決定手段によって決定された補正量に基づいて、前記複数の水平走査ラインのうちから、１ライン前の補正量に対し補正量を変化させる補正量変化ラインを決定する補正量変化ライン決定手段と、
前記補正量変化ライン決定手段によって決定された水平走査ラインに対して、１画素分前記映像有効表示領域を広げるように前記ブランキングパルスを作成するブランキングパルス発生手段とを備えることを特徴とする、液晶表示装置。
【請求項２】
前記ブランキング作成手段はさらに、前記補正量変化ラインが奇数ラインであるか偶数ラインであるかを判別するライン判別手段を備え、
前記ブランキングパルス発生手段は、前記ライン判別手段によって判別された結果に基づいて、前記圧縮表示手段による圧縮を行なって前記配列上に並べた場合に前記補正量変化ラインの映像非表示領域と映像有効表示領域との境界と１ライン前の水平走査ラインの映像非表示領域と映像有効表示領域との境界とにおいて生じる１．５画素のずれが０．５画素のずれに補正されるように１画素分映像有効表示領域を広げる部分を決定する、請求項１に記載の液晶表示装置。
【請求項３】
前記配列は、前記奇数番目の水平走査ラインに対し前記偶数番目の水平走査ラインが０．５画素分右方向にずれたものであり、
前記ブランキングパルス発生手段は、前記ライン判別手段によって判別された結果に基づいて、前記補正量変化ラインが奇数番目の水平走査ラインである場合には、映像有効表示領域の右端の位置を１画素分右にシフトする補正を行ない、前記補正量変化ラインが偶数番目の水平走査ラインである場合には、映像有効表示領域の左端の位置を１画素分左にシフトする補正を行なう、請求項２に記載の液晶表示装置。
【発明の詳細な説明】
【０００１】
【発明の属する技術分野】
本発明は、画面（以下「スクリーン」ともいう。）に投射することによって映像を表示する液晶表示装置に関し、特に、投射した映像の歪みを補正することのできる液晶表示装置に関するものである。
【０００２】
【従来の技術】
スクリーン１５に投射することによって映像を表示する液晶表示装置（以下「プロジェクタ」ともいう。）１４においては、図４に示されるように、プロジェクタ１４をスクリーン１５に対してある仰角をもって配置した場合、スクリーン１５に対する投射角度は直角とならないため、投射映像１６はその上と下で横方向の長さが異なる台形歪みと呼ばれる歪みを生じる。したがって、従来から「特願平３−９２２０７」に示されるように、液晶パネル上に表示される映像をスクリーン１５上に投射される映像と上下逆の台形に補正することによって、この台形歪みを解消している。具体的には、液晶パネルの画素数が水平４８０画素、垂直２４０ラインとすると、補正を行なわない場合は図５（ａ）に示されるように映像信号の有効表示期間を４８０画素で表示するが、補正を行なう場合は図５（ｂ）に示されるように映像の有効表示期間を圧縮して（ｍを補正量とすると、台形の短い辺が（４８０−２ｍ）画素となるようにする。）表示し、その前後の画素には図６に示される回路によってブランキングを付加することとする。なお、この回路は、スイッチ１７をブランキングパルスに基づいて切換え、映像信号か黒レベル信号を選択的に液晶パネルに供給するものである。また、上記切換は具体的には図７に示されるタイミングで行なわれる。すなわち、図７（ｂ）に示されるブランキングパルスがハイ（Ｈ）のとき（有効表示期間）においては映像信号を、一方ロー（Ｌ）のときには黒レベル信号を液晶パネルに供給する。
【０００３】
【発明が解決しようとする課題】
上記の従来技術により、各水平走査ライン毎に０．５画素ずれた配列（以下「デルタ配列」ともいう。）を有する液晶パネルに台形歪みを補正する映像を表示すると、図の上方向が液晶パネルの下方向に対応するとき図８のようになる。ここで、液晶パネルに表示される映像は、補正量が１画素増える水平走査ラインにおいて左右交互に直上の水平走査ラインの映像と１．５画素のずれＡを生じ、他の水平走査ライン間における映像のずれ（０．５画素）より大きくなっている。したがって、映像とブランキングの境界が全体として凹凸する問題を生じていた。
【０００４】
この発明は、上記のような問題点を解消するためになされたもので、その目的は、デルタ配列を有する液晶パネルに台形歪みを補正する映像を表示する場合に、その映像とブランキングの境界を全体として整え、滑らかにすることである。
【０００５】
【課題を解決するための手段】
本発明に係る液晶表示装置は、外部の画面に投射することによって映像を表示する液晶表示装置であって、液晶表示手段と、補正量決定手段と、ブランキング作成手段と、映像信号作成手段と、圧縮表示手段とを備える。ここで、液晶表示手段は、水平走査ライン毎に０．５画素ずれた配列からなる液晶パネルを有し、液晶パネルに映像を表示する。また、補正量決定手段は、液晶パネルより画面に投射される映像が台形となる歪みを有する場合に、外部からの操作に基づいて補正量を決定する。また、ブランキング作成手段は、補正量決定手段によって決定された補正量に基づいて、水平走査ラインごとにブランキングを表示するためのブランキングパルスを作成する。また、映像信号作成手段は、ブランキング作成手段によって作成されたブランキングパルスを映像信号に付加して液晶表示手段に供給する。また、圧縮表示手段は、補正量決定手段で決定された補正量に基づいて、映像を圧縮して液晶パネルに表示するための駆動信号を作成し、液晶表示手段に供給する。さらに、ブランキング作成手段は、補正量変化ライン決定手段と、ブランキングパルス発生手段とを備える。補正量変化ライン決定手段は、補正量決定手段によって決定された補正量に基づいて、補正量を変化させる水平走査ラインを決定する。ブランキングパルス発生手段は、補正量変化ライン決定手段によって決定された水平走査ラインには１画素分パルス幅を変化させたブランキングパルスを作成する。
【０００６】
好ましくは、上記ブランキング作成手段はさらに、補正量変化ライン決定手段によって決定された水平走査ラインが奇数ラインであるか偶数ラインであるかを判別するライン判別手段を備える。また、上記ブランキングパルス発生手段は、ライン判別手段によって判別された結果に基づいて、奇数ラインの場合は有効表示期間後に１画素分パルス幅を狭め、偶数ラインの場合は有効表示期間前に１画素分パルス幅を狭める。
【０００７】
【発明の実施の形態】
以下において、この発明の実施の形態を図面を参照して詳しく説明する。なお、図中同一符号は同一または相当部分を示す。
【０００８】
図１は、この発明の実施の形態による液晶表示装置の全体構成を示すブロック図である。図１のように、この液晶表示装置は、水平走査ライン毎に０．５画素ずれた配列からなる液晶パネル１３と、液晶パネル１３に供給される映像信号を一定期間保持するサンプルホールド回路１１と、入力されるスタートパルスによって映像信号の液晶パネル１３への表示を開始させるとともに、入力される駆動信号に基づいて映像表示における水平方向の駆動を行なう水平シフトレジスタ１０と、映像を表示する水平走査ラインの垂直方向の駆動を行なう垂直シフトレジスタ１２とを含む。また、この液晶表示装置は、垂直同期信号Ｖでリセットしつつ水平同期信号Ｈをカウントするラインカウンタ１と、外部からの操作によって補正量を決定する補正量指示部３と、補正量指示部３から供給される補正量データ信号に基づき補正量を変化させる水平走査ライン（以下「補正量変化ライン」ともいう。）を決定する補正量変化ライン決定部２と、補正量変化ライン決定部２によって補正量を変化させることと決定された水平走査ラインが奇数ラインであるか偶数ラインであるかを判別する奇数・偶数ライン判別回路７と、奇数・偶数ライン判別回路７から入力される信号に基づいてブランキングを表示するためのブランキングパルスを作成するブランキングパルス発生回路８と、映像信号に上記ブランキングパルスを付加して、サンプルホールド回路１１に供給するブランキング回路９を含む。さらに、この液晶表示装置は、水平同期信号Ｈでリセットしつつクロック信号ＣＬＫをカウントして水平方向の駆動位置を示す水平位置信号を出力する画素数カウンタ５と、補正量指示部３から供給される補正量データ信号および補正量変化ライン決定部２から供給される信号に基づいて補正量変化ライン毎に補正量を大きくするか小さくするかを決定して画素数カウンタ５から供給される水平位置信号をもとにマスクパルスを発生させる水平圧縮率決定部４と、上記マスクパルスによってクロック信号ＣＬＫを間引いた上で水平シフトレジスタ１０に駆動信号を供給するクロックマスク回路６とを含む。
【０００９】
次に、この発明の実施の形態による液晶表示装置の動作を説明する。まず、図４におけるプロジェクタ１４は、スクリーン１５に投射される映像が台形歪みを持たないように外部から補正量が操作される。そして、この操作により図１の補正量指示部３で補正量が決定される。補正量指示部３は決定した補正量に対応する補正量データ信号を補正量変化ライン決定部２に供給し、補正量変化ライン決定部２は、補正量データ信号およびラインカウンタ１からの駆動ラインを示す信号とにより、どの水平走査ラインで補正量を変化させるかを決定する。さらに、奇数・偶数ライン判別回路７は、補正量変化ライン決定部２で決定された補正量変化ラインが奇数ラインであるか偶数ラインであるかを判別して、補正量変化ライン毎に判別信号を出力する。ここで、ブランキングパルス発生回路８は、クロック信号ＣＬＫに基づいて図２（ｂ）に示されるブランキングパルスを発生する。このブランキングパルスは、各水平走査ラインの有効表示期間においてハイ（Ｈ）となり、それ以外の期間にはロー（Ｌ）となるものである。ところが、奇数・偶数ライン判別回路７から補正量変化ラインが奇数ラインである旨の判別信号を入力した場合には、ブランキングパルス発生回路８は、図２（ｃ）に示されるように、補正量変化ラインに対応して有効表示期間後１画素分ハイ期間が長いブランキングパルスを発生させる。また、補正量変化ラインが偶数である旨の判別信号を入力した場合には、ブランキングパルス発生回路８は、図２（ｄ）に示されるように、補正量変化ラインに対応して有効表示期間前１画素分ハイ期間が長いブランキングパルスを発生させる。このようにしてブランキングパルス発生回路８で発生したブランキングパルスは、ブランキング回路９で映像信号に付加され、ブランキングパルスの付加された映像信号はサンプルホールド回路１１に供給される。一方、水平圧縮率決定部４は、映像を圧縮するため、補正量指示部３から供給される補正量データ信号および補正量変化ライン決定部２から供給される補正量変化ラインを示す信号とにより補正量変化ラインにおいて補正量を大きくするか小さくするかを決定し、画素数カウンタ５から出力される水平位置信号をもとにマスクパルスを発生する。そして、クロックマスク回路６は入力されるクロック信号ＣＬＫをこのマスクパルスで間引き、映像を圧縮して液晶パネル１３に表示するための駆動信号を水平シフトレジスタ１０に供給する。ここで、水平シフトレジスタ１０は、各ラインに対応して入力されるスタートパルスによって映像信号の表示における水平方向の駆動を開始し、上記駆動信号により映像を順次液晶パネル１３に表示させる。なお、スタートパルスは、水平走査ラインの補正量がｎのときにはｎ画素分位相を早めて水平シフトレジスタ１０に入力され、これによりこの水平走査ラインには映像の表示される前にｎ画素のブランキングが表示されることとなる。以上の動作によれば、図３（本図の上方向が液晶パネルの下方向に対応する。）において、補正量変化ラインが奇数ラインである場合には画素３１に、一方、補正量変化ラインが偶数ラインである場合には画素３０に、それぞれ映像が表示され、その結果として、隣接する水平走査ライン間の映像のずれが０．５画素となるようにされる。
【００１０】
【発明の効果】
本発明に係る液晶表示装置によれば、水平走査ライン毎に０．５画素ずれた配列からなる液晶パネルに台形歪みを補正する映像を表示する場合に、隣接する水平走査ライン間の映像のずれが０．５画素とされるため、液晶パネルに表示される映像はその左右のブランキングとの境界線が全体として整えられ、ひいては投射した映像においても左右の境界線が綺麗なものを得ることができる。
【図面の簡単な説明】
【図１】この発明の実施の形態による液晶表示装置の全体構成を示すブロック図である。
【図２】図１のブランキングパルス発生回路によって発生されるブランキングパルスを示すタイミング図である。
【図３】図１の液晶表示装置によってその液晶パネルに表示される台形歪みを補正した映像を示す図である。
【図４】投射された映像の台形歪みを説明するための図である。
【図５】図４の台形歪みの補正原理を説明するための図である。
【図６】従来の液晶表示装置におけるブランキングを付加するための回路を示す回路図である。
【図７】図６の回路の動作を説明するためのタイミング図である。
【図８】図６の回路によって液晶パネルに表示される台形歪みを補正した映像を示す図である。
【符号の説明】
１  ラインカウンタ
２  補正量変化ライン決定部
３  補正量指示部
４  水平圧縮率決定部
５  画素数カウンタ
６  クロックマスク回路
７  奇数・偶数ライン判別回路
８  ブランキングパルス発生回路
９  ブランキング回路
１０  水平シフトレジスタ
１１  サンプルホールド回路
１２  垂直シフトレジスタ
１３  液晶パネル
１４  プロジェクタ
１５  スクリーン
１６  投射映像
１７  スイッチ
【図１】
0003831438.tif 000002
【図２】
0003831438.tif 000003
【図３】
0003831438.tif 000004
【図４】
0003831438.tif 000005
【図５】
0003831438.tif 000006
【図６】
0003831438.tif 000007
【図７】
0003831438.tif 000008
【図８】
0003831438.tif 000009